(57)【要約】【課題】刈草を集草して列を形成する際に風で刈草が飛散するのを防止することができる刈草飛散防止装置および集草機を提供することを目的とする。【解決手段】フレーム３とフレーム３に支持され刈り倒された草を列状に集める集草部４とを有する集草機１であって、集草部４が、フレーム３に回転可能に、かつ進行方向に対して互いにオフセットして設けられた第一回転盤４１および第二回転盤４２と、複数の櫛歯４３１と複数の櫛歯４３１を保持する長尺の保持部材４３２とを有する複数の櫛部４３とを有し、保持部材４３２の一端部が第一回転盤４１に固定され、他端部が第二回転盤４２に固定されている集草機１に、取り付けられる刈草飛散防止装置８であって、フレーム３に取り付けられるアーム部８１，８２と、アーム部８１，８２に保持されて集草部３の前方に設置され、櫛歯４３１により掻き上げられた刈草を当てて地面側に返す面状の草当て部８３とを有する。【選択図】図３
2018000154.tif 000002
【特許請求の範囲】
【請求項１】
フレームと前記フレームに支持され刈り倒された草を列状に集める集草部とを有する集草機であって、前記集草部が、フレームに回転可能に、かつ進行方向に対して互いにオフセットして設けられた第一回転盤および第二回転盤と、複数の櫛歯と前記複数の櫛歯を保持する長尺の保持部材とを有する複数の櫛部とを有し、前記保持部材が前記集草機の使用時において長手方向が地面と略平行になるように、一端部が第一回転盤に固定され、他端部が第二回転盤に固定されている集草機に、取り付けられる刈草飛散防止装置であって、
前記フレームに取り付けられるアーム部と、
前記アーム部に保持されて前記集草部の前方に設置され、前記櫛歯により掻き上げられた刈草を当てて地面側に返す面状の草当て部と
を有することを特徴とする刈草飛散防止装置。
【請求項２】
前記草当て部は、長方形形状を有しており、その長辺が前記櫛部に沿って設置されることを特徴とする請求項１に記載の刈草飛散防止装置。
【請求項３】
前記草当て部の前記アーム部への取付角度を調節可能な取付角度調節機構を備え、
前記取付角度調節機構は、前記草当て部の上面に設けられ、弧状の長孔を有する取付角度調整用板状部材と、
前記アーム部の先端に設けられ、取付角度調整用孔を有する板状先端部と、
前記長孔と前記取付角度調整用孔とに挿通させる取付角度調整用ボルトと、
前記取付角度調整用ボルトを前記取付角度調整用板状部材および前記板状先端部に固定する取付角度調整用ナットと
を有することを特徴とする請求項１または請求項２に記載の刈草飛散防止装置。
【請求項４】
前記草当て部は、第一の草当て面と第二の草当て面とを有し、前記第一の草当て面と前記第二の草当て面とは、断面く字状に互いに連結されていることを特徴とする請求項１から請求項３のいずれか一項に記載の刈草飛散防止装置。
【請求項５】
前記第一の草当て面と前記第二の草当て面との角度を調節可能な草当て面角度調節機構を備え、
草当て面角度調節機構は、前記第一の草当て面と前記第二の草当て面とを互いに連結する蝶番と、
前記第一の草当て面の側端部内側に設けられ、弧状に配列された複数の第一の草当て面角度調節用孔を有する第一の板状部材と、
前記第二の草当て面の側端部内側に設けられ、前記第一の草当て面角度調節用孔と選択的に重なり合うように弧状に配列された複数の第二の草当て面角度調節用孔を有する第二の板状部材と、
前記第一の草当て面と前記第二の草当て面との角度を所望の角度にしたときの位置で互いに重なり合う前記第一の草当て面角度調節用孔および前記第二の草当て面角度調節用孔に挿通させる草当て面角度調節用ボルトと、
前記草当て面角度調節用ボルトを前記第一の板状部材および前記第二の板状部材に固定する草当て面角度調節用ナットと
を有することを特徴とする請求項４に記載の刈草飛散防止装置。
【請求項６】
請求項１から請求項５のいずれか一項に記載の刈草飛散防止装置を備えることを特徴とする集草機。
【発明の詳細な説明】
【技術分野】
【０００１】
本発明は、刈草飛散防止装置および集草機に関し、特に、刈り取られた刈草を集草して集草列を形成する際に風で刈草が飛散するのを防止するための刈草飛散防止装置および集草機に関する。
【背景技術】
【０００２】
従来、牛などの家畜の餌となる牧草は、完全に乾燥させロール状に巻かれた状態で保存される。また、水分を含む牧草をロール状に巻いてラップフィルムで巻き付けて発酵させ、サイレージにする場合もある。
【０００３】
上述のような牧草ロールは、通常次のようにして作られる。圃場に栽培されて植生している牧草が刈取機により刈り倒された後、集草機により列状に集草され、集草列が形成される。その後、梱包機により、集草列が拾い上げられ、圧縮、成形されて牧草ロールとなる。
【０００４】
従来の集草機としては、フレームと、フレームに回転可能に、かつ進行方向に対して互いにオフセットして設けられた第一回転盤および第二回転盤と、第一回転盤および第二回転盤に設けられた複数の櫛部とを有する集草機が知られている（例えば、特許文献１参照）。この集草機は、例えばトラクターなどの移動手段の前方または後方に取り付けられ、トラクターに移送されて圃場を移動しながら、集草列を形成する。より詳細には、この集草機で集草する際は、油圧モータで第一回転盤を回転させることにより櫛部を回転させた状態で、トラクターを圃場内で前進させる。すると、櫛部が牧草を掻き上げる。このとき、外側の第二回転盤はオフセットされて第一回転盤より前方に配置されているため、集草機が前進することにより外側の牧草が徐々に内側に集められ、集草列が形成される。
【先行技術文献】
【特許文献】
【０００５】
【特許文献１】欧州特許出願公開第２８０７９１３号明細書
【発明の概要】
【発明が解決しようとする課題】
【０００６】
しかしながら、従来の集草機では、風が強い日に集草を行うと、櫛部により掻き上げられた刈草が風にあおられて飛散し、集草列が良好に形成されないという問題があった。
【０００７】
そこで、本発明は、刈り取られた刈草を集草して集草列を形成する際に風で刈草が飛散するのを防止することができる刈草飛散防止装置および集草機を提供することを目的とする。
【課題を解決するための手段】
【０００８】
上記課題を解決するために、本発明による刈草飛散防止装置は、フレームと前記フレームに支持され刈り倒された草を列状に集める集草部とを有する集草機であって、前記集草部が、フレームに回転可能に、かつ進行方向に対して互いにオフセットして設けられた第一回転盤および第二回転盤と、複数の櫛歯と前記複数の櫛歯を保持する長尺の保持部材とを有する複数の櫛部とを有し、前記保持部材が前記集草機の使用時において長手方向が地面と略平行になるように、一端部が第一回転盤に固定され、他端部が第二回転盤に固定されている集草機に、取り付けられる刈草飛散防止装置であって、前記フレームに取り付けられるアーム部と、前記アーム部に保持されて前記集草部の前方に設置され、前記櫛歯により掻き上げられた刈草を当てて地面側に返す面状の草当て部とを有することを特徴とする。
【０００９】
上述の刈草飛散防止装置において、前記草当て部は、長方形形状を有しており、その長辺が前記櫛部に沿って設置されることが好ましい。
【００１０】
上述の刈草飛散防止装置において、前記草当て部の前記アーム部への取付角度を調節可能な取付角度調節機構を備え、前記取付角度調節機構は、前記草当て部の上面に設けられ、弧状の長孔を有する取付角度調整用板状部材と、前記アーム部の先端に設けられ、取付角度調整用孔を有する板状先端部と、前記長孔と前記取付角度調整用孔とに挿通させる取付角度調整用ボルトと、前記取付角度調整用ボルトを前記取付角度調整用板状部材および前記板状先端部に固定する取付角度調整用ナットとを有することが好ましい。
【００１１】
また、上述の刈草飛散防止装置において、前記草当て部は、第一の草当て面と第二の草当て面とを有し、前記第一の草当て面と前記第二の草当て面とは、断面く字状に互いに連結されていることが好ましい。
【００１２】
また、上述の刈草飛散防止装置において、前記第一の草当て面と前記第二の草当て面との角度を調節可能な草当て面角度調節機構を備え、草当て面角度調節機構は、前記第一の草当て面と前記第二の草当て面とを互いに連結する蝶番と、前記第一の草当て面の側端部内側に設けられ、弧状に配列された複数の第一の草当て面角度調節用孔を有する第一の板状部材と、前記第二の草当て面の側端部内側に設けられ、前記第一の草当て面角度調節用孔と選択的に重なり合うように弧状に配列された複数の第二の草当て面角度調節用孔を有する第二の板状部材と、前記第一の草当て面と前記第二の草当て面との角度を所望の角度にしたときの位置で互いに重なり合う前記第一の草当て面角度調節用孔および前記第二の草当て面角度調節用孔に挿通させる草当て面角度調節用ボルトと、前記草当て面角度調節用ボルトを前記第一の板状部材および前記第二の板状部材に固定する草当て面角度調節用ナットとを有することが好ましい。
【００１３】
また、上記課題を解決するために、本発明による集草機は、上述の刈草飛散防止装置を備えることを特徴とする。
【図面の簡単な説明】
【００１４】
【図１】本発明の実施形態に係る集草機の構成を模式的に示す斜視図である。
【図２】発明の実施形態に係る集草機の構成を模式的に示す上面図である。
【図３】本発明の実施形態に係る集草機の刈草飛散防止装置の構成を模式的に示す斜視図である。
【図４】本発明の実施形態に係る集草機の刈草飛散防止装置の構成を示す側面図である。
【図５】本発明の実施形態に係る集草機の集草列押さえ装置の構成を模式的に示す斜視図である。
【図６】本発明の実施形態に係る集草機の集草列押さえ装置の構成を示す上面一部断面図である。
【図７】本発明の実施形態に係る集草機の集草列押さえ装置の構成を示す側面図である。
【図８】本発明の実施形態に係る集草機の集草列押さえ装置の変形例を模式的に示す部分斜視図である。
【図９】本発明の実施形態に係る集草機の集草列押さえ装置の変形例を模式的に示す斜視図である。
【図１０】本発明の実施形態に係る集草機の使用状態を模式的に示す上面図である。
【図１１】本発明の実施形態に係る集草機の集草列押さえ装置の使用状態を模式的に示す側面図である。
【発明を実施するための形態】
【００１５】
以下に、本発明の実施の形態について詳細に説明する。
【００１６】
本実施形態に係る集草機１は、図１および図２に示すように、本発明による刈草飛散防止装置８および集草列押さえ装置２を備える。集草機１は、トラクターＴなどの移動手段の前方に接続され、移動手段に押されて移動する場合に、好適に用いられる。
【００１７】
集草機１は、フレーム３とフレーム３に支持された集草部４とを有している。集草部４は、フレーム３に回転可能に設けられた第一回転盤４１と第二回転盤４２とを有しており、第一回転盤４１および第二回転盤４２には、複数の櫛部４３が保持されている。また、フレーム３上には、集草部４の動きを制御するための油圧装置５の油圧ユニット５１が設置されている。
【００１８】
刈草飛散防止装置８は、図２および図３に示すように、フレーム３に取り付けられる第一のアーム部８１および第二のアーム部８２と、アーム部８１，８２に保持されて集草部４の前方に設置され、櫛歯４３により掻き上げられた刈草を当てて地面側に返す面状の草当て部８３とを有する。
【００１９】
集草列押さえ装置２は、図５および図６に示すように、集草部４の後方に配置される基部（本実施形態においては後述のコ字状フレーム３３１）と、基部に揺動可能に取り付けられた支持部２１と、支持部２１に回転可能に支持され、集草列Ｗ（図１０および図１１参照）を地面に押さえつけるための回転体２２とを有している。
【００２０】
以下、各構成要素について、詳細に説明する。
【００２１】
［フレーム３］
フレーム３は、集草部４を支持するものであり、図２に示すように、フレーム基体３１を有している。フレーム基体３１の材質および形状は特に限定されるものではないが、剛性の高い金属製の棒状体が好適に用いられる。本実施の形態においては、フレーム基体３１は断面矩形状の棒状体であり、棒状体の長手方向が、集草部４の移動方向と平行に配置されるようになっている。
【００２２】
フレーム基体３１の一端部には、集草部４を移動させるための第一車輪６１を回転可能に保持する第一車輪保持フレーム３２が設けられている。第一車輪保持フレーム３２は、基体フレーム３と同様の材料で構成される。第一車輪保持フレーム３２は、図１に示すように、Ｕの字を逆にした形状のＵ字形状部３２１と、Ｕ字形状部３２１の対向する辺に渡して設けられた十字状棒状部３２２を有しており、十字状棒状部３２２には、第一車輪６１を回転可能保持する保持部材６１１が取り付けられている。保持部材６１１は、十字状棒状部３２２に対して出し入れ可能かつ任意の位置で固定可能となっており、これによりフレーム３の高さ、ひいては集草部４の高さを調節できるようになっている。第一車輪保持フレーム３２は、十字状棒状部３２２とＵ字形状部３２１とにより構成される。
【００２３】
フレーム基体３１の他端部には、図２および図５に示すように、集草部４を移動させるための第二車輪６２を回転可能に保持する第二車輪保持フレーム３３が設けられている。第二車輪保持フレーム３３は、フレーム基体３１と同様の材料で構成される。第二車輪保持フレーム３３は、断面略コ字状のコ字状フレーム３３１を有しており、その開放面が地面側になるように配置され、その上部中央部がフレーム基体３１と接続されている。コ字状フレーム３３１の両側部には、外側に向けてそれぞれ地面と水平に延在する水平棒状部３３２が設けられている。水平棒状部３３２の端部には、それぞれ地面に垂直に延在する垂直棒状部３３３が設けられており、垂直棒状部３３３にはそれぞれ第二車輪６２を回転可能に保持する保持部材６２１が取り付けられている。保持部材６２１は、垂直棒状部３３３に対して出し入れ可能かつ任意の位置で固定可能となっており、これによりフレーム３の高さ、ひいては集草部４の高さを調節できるようになっている。第二車輪保持フレーム３３は、コ字状フレーム３３１と水平棒状部３３２と垂直棒状部３３３とにより構成される。
【００２４】
なお、コ字状フレーム３３１の両下端部、および、上部中央部のフレーム基体３１とは反対側には、それぞれトラクターＴなどの移動手段と連結するための連結手段を取り付けるための取付部材７１,７２が設けられている。
【００２５】
フレーム３は、図２に示すように、集草部４の第一回転盤４１および第二回転盤４２を回転可能に支持するアームフレーム３４を有している。アームフレーム３４は、フレーム基体３１と同様の材料で構成される。アームフレーム３４は、フレーム基体３１の両側方下方にそれぞれ配置されており、フレーム基体３１と直行する方向に延在する直行棒状部３４１と、フレーム基体３１と平行な方向に延在する平行棒状部３４２と、直行棒状部３４１と平行棒状部３４２とを接続する接続棒状部３４３とを有している。
【００２６】
直行棒状部３４１のフレーム基体３１側端部には、第一回転盤４１が回転可能に取り付けられている。平行棒状部３４２には、第二回転盤４２を跨ぐような跨越部材３４４が設けられており、跨越部材３４４には、第二回転盤４２が回転可能に取り付けられている。また、平行棒状部３４２には、第三車輪６３を回転可能に保持する保持部材６３１が取り付けられている。保持部材６３１は、平行棒状部３４２に対して出し入れ可能かつ任意の位置で固定可能となっており、これによりフレーム３の高さ、ひいては集草部４の高さを調節できるようになっている。アームフレーム３４は、直行棒状部３４１と平行棒状部３４２と接続棒状部３４３と跨越部材３４４とにより構成される。
【００２７】
また、フレーム３は、第二車輪保持フレーム３３を構成するコ字状フレーム３３１の側部と、アームフレーム３４を構成する直行棒状部３４１とを連結する連結フレーム３５を有する。連結フレーム３５は、フレーム基体３１と同様の材料で構成される。
【００２８】
フレーム３は、本実施の形態においては、上述のように、フレーム基体３１と第一車輪保持フレーム３２と第二車輪保持フレーム３３とアームフレーム３４と連結フレーム３５とにより構成するようにしたが、これに限定されることなく、適宜設計してよい。
【００２９】
［油圧装置５］
油圧装置５は、左右のアームフレーム３４の開閉を制御するための油圧シリンダ５２および第一回転盤４１の回転を制御するための油圧モータ５３と、油圧ユニット５１とを有する。油圧ユニット５１は、油圧モータ５３を作動させる油圧発生装置、油圧制御装置および油圧タンクがユニット化されたものであり、フレーム基体３１の上面であってアームフレーム３４近傍に載置されている。油圧モータ５３用の油圧発生装置は、トラクターＴのエンジンからＰＴＯ（Ｐｏｗｅｒ ｔａｋｅ−ｏｆｆ）を介して動力を得るようになっている。油圧シリンダ５２を作動させる油圧発生装置、油圧制御装置および油圧タンクは、トラクターＴ側に搭載されている。なお、油圧モータ５３や油圧シリンダ５２を作動させる油圧発生装置、油圧制御装置および油圧タンクは、集草機１側、トラクターＴ側のどちらにどのように設けられていてもよい。
【００３０】
油圧シリンダ５２は、一端がフレーム基体３１の上面であってアームフレーム３４近傍に取り付けられおり、他端がアームフレーム３４の直行棒状部３４１に取り付けられている。油圧シリンダ５２を伸長させれば、アームフレーム３４が地面に対して水平な状態となり、油圧シリンダ５２を収縮させれば、アームフレーム３４が引き上げられてアームフレーム３４の外側先端が上方に持ち上げられた状態となる。これにより、集草部４により集草を行う際には、集草部４を横に広げて使用し、公道や圃場内を移動させる際などには、集草部４を立てて邪魔にならないようにすることができる。油圧モータ５３は、第一回転盤４１の裏面近傍に設けられている。油圧モータ５３は、第一回転盤４１の回転軸（図示しない）に接続されており、第一回転盤４１を回転させるようになっている。また、油圧モータ５３は、それぞれ配管５４を介して油圧ユニット５１に接続されている。
【００３１】
［集草部４］
集草部４は、本実施の形態においては、図１および図２に示すように、フレーム基体３１の両側方にそれぞれ１つずつ配置されている。２つの集草部４は、それぞれに第一回転盤４１と第二回転盤４２とを有している。第一回転盤４１と第二回転盤４２は、円板形状を有しており、平面を進行方向に向けて配置されている。第一回転盤４１と第二回転盤４２とは、進行方向に対して互いにオフセットされ、外側に位置する第二回転盤４２が進行方向前方に配置されている。第一回転盤４１と第二回転盤４２は、フレーム基体３１と同様の材料で構成される。
【００３２】
集草部４は櫛部４３を有しており、櫛部４３は、図１に示すように、複数の櫛歯４３１とこれらの櫛歯４３１を保持する長尺の保持部材４３２とを有している。保持部材４３２の一端は第一回転盤４１に固定されており、他端は第二回転盤４２に固定されている。櫛部４３は複数設けられており、第一回転盤４１および第二回転盤４２の周縁部近傍に等間隔で配置されている。これにより、第一回転盤４１が油圧モータ５３により回転されると、それに追従して第二回転盤４２および櫛部４３が回転するようになっている。
【００３３】
［刈草飛散防止装置８］
刈草飛散防止装置８は、フレーム３に取り付けられる第一のアーム部８１および第二のアーム部８２を有しており、本実施の形態においては、図２および図３に示すように、第一のアーム部８１はアームフレーム３４の接続棒状部３４３に、第二のアーム部８２はアームフレーム３４の直行棒状部３４１に取り付けられている。アーム部８１，８２は、集草部４の後方に位置するアームフレーム３４から、集草部４の上方または側方を越えて集草部の前方に延出している。
【００３４】
より詳細には、第一のアーム部８１は、棒状部材からなり、集草部４の後方に位置するアームフレーム３４の接続棒状部３４３から、集草部４の上方を跨ぐようにして、集草部４の前方へ、その先端が延出するように形成されている。より具体的には、第一のアーム部８１は、本実施の形態においては、上方に向けて接続棒状部３４３に取り付けられており、棒状部材を上斜め前方に向けて屈曲させる第一屈曲部８１１と、棒状部材を前方に向けて屈曲させる第二屈曲部８１２と、棒状部材を下斜め前方に向けて屈曲させる第三屈曲部８１３とを有している。棒状部材は、剛性の高い金属で構成することが好ましい。
【００３５】
第二のアーム部８２は、棒状部材からなり、集草部４の後方に位置するアームフレーム３４の直行棒状部３４１の側部から、集草部４の第一回転盤４１の側部を回り込むようにして、集草部４の前方へ、その先端が延出するように形成されている。より具体的には、第二のアーム部８２は、本実施の形態においては、直行棒状部３４１の側部から側方上方に向けて取り付けられており、棒状部材を上斜め前方に向けて屈曲させる屈曲部８２１を有している。棒状部材は、剛性の高い金属で構成することが好ましい。
【００３６】
アーム部８１，８２は、草当て部８３を集草部４の前方で保持できればよく、アーム部８１，８２のフレーム３への取り付け位置や形状などは、上記に限定されるものではない。
【００３７】
草当て部８３は、櫛歯４３１により掻き上げられた刈草を当てて地面側に返すことができるような面状体であれば、外形形状や材質などは特に限定されるものではないが、本実施形態のように、長方形の板状体で構成し、その長辺が櫛部４３に沿って設置されることが好ましい。また、剛性の高い金属で構成することが好ましい。金属の長方形の板状体以外で構成する場合の一例としては、面取りされた長方形の枠と枠内に張られた樹脂製のメッシュとにより構成したものが挙げられる。
【００３８】
また、草当て部８３は櫛歯４３１により掻き上げられた刈草を当てる草当て面が１つで構成されていてもよいが、刈草の上方への飛散と後方への飛散の両方を防止する観点から、図１，図３，図４に示すように、第一の草当て面８３１と第二の草当て面８３２とを有し、第一の草当て面８３１と第二の草当て面８３２とは、断面く字状に互いに連結されていることが好ましい。また、草当て面は、平面であってもよいし湾曲面であってもよく、とくに１つの草当て面で構成する場合は、前面が凹となる湾曲面とすることが好ましい。
【００３９】
本実施形態においては、第一の草当て面８３１は、図４に示すように、第二の草当て面８３２と連結される側の先端部に、板状体を内側に屈曲させて形成され、後述する蝶番８４１を取り付けて第二の草当て面８３２と連結するための連結部８３１１と、反対側の先端部に、板状体を外側に屈曲させて形成され、第一の草当て面８３１を補強するための補強部８３１２とを有している。
【００４０】
また、第二の草当て面８３２は、図４に示すように、第一の草当て面８３１と連結される側の先端部に、板状体を外側にく字状に屈曲させて形成され、後述する蝶番８４１を取り付けて第一の草当て面８３１と連結するための連結部８３２１と、反対側の先端部に、板状体を外側にく字状に屈曲させて形成され、第一の草当て面８３１を補強するための補強部８３２２とを有している。連結部８３２１の蝶番８４１側と補強部８３２２の先端側は、第二の草当て面８３２の主面と平行になるように形成されている。補強部８３２２の先端側の第二の草当て面８３２の主面と平行な面には、図示しない孔を設けておき、必要に応じて、図示しない第三の草当て面をボルトとナットにより固着できるようにしてもよい。
【００４１】
本実施形態においては、第一の草当て面８３１と第二の草当て面８３２とは、蝶番８４１により、断面く字状に互いに連結されている。これにより、第一の草当て面８３１と第二の草当て面８３２との角度を風向きに応じて調節することができ、蝶番８４１は草当て面角度調節機構として機能する。また、草当て面角度調節機構は、調節された角度で第一の草当て面８３１と第二の草当て面８３２とをより確実に固定するための固定機構を備えていてもよい。
【００４２】
本実施形態においては、固定機構は、第一の草当て面８３１の両側端部内側に設けられた頂部が面取りされた三角形状の第一の板状部材８４２と、第二の草当て面８３２の両側端部内側に設けられた帯状弧形状の第二の板状部材８４３とを有する。第一の板状部材８４２と第二の板状部材８４３とは、第二の板状部材８４３が内側となるように互いに重なるように設けられている。第一の板状部材８４２の第一の草当て面８３１側端部には、第二の板状部材８４３が挿通可能な挿通孔８４２２が設けられている。また、第一の板状部材８４２および第二の板状部材８４３には、弧状に配列された複数の草当て面角度調節用孔８４２１，８４３１が、互いに選択的に重なり合うように、設けられている。本実施形態においては、第一の草当て面角度調節用孔８４２１と第二の草当て面角度調節用孔８４３１は、それぞれ５つずつ設けられているが、個数はこれに限定されるものではなく、適宜設計してよい。また、固定機構は、草当て面角度調節用孔８４２１，８４３１に挿通させる草当て面角度調節用ボルト８４４と、草当て面角度調節用ボルト８４４に固着させる図示しない草当て面角度調節用ナットとを有している。
【００４３】
また、刈草飛散防止装置８は、草当て部８３のアーム部８１，８２への取付角度を調節可能な取付角度調節機構を備えることが好ましい。
【００４４】
本実施形態においては、取付角度調節機構は、草当て部８３を構成する第一の草当て面８３１の上面に設けられた取付角度調整板状部材８５１と、アーム部８１，８２の先端にそれぞれ設けられた板状先端部８５２とを有している。取付角度調整用板状部材８５１の形状や材質に限定はないが、本実施の形態のように、剛性の高い金属からなる半円ドーナツ形状の板状部材で構成されることが好ましい。取付角度調整用板状部材８５１には、弧状の長孔８５１１が設けられている。また、板状先端部８５２についても、形状や材質に限定はないが、本実施の形態のように、剛性の高い金属からなる長方形形状の板状部材で構成されることが好ましい。板状先端部８５２には、図示しない円形の取付角度調整用孔が設けられている。
【００４５】
また、取付角度調節機構は、長孔８５１１と取付角度調整用孔とに挿通させる取付角度調整用ボルト８５３と、取付角度調整用ボルト８５３に固着させる図示しない取付角度調整用ナットとを有する。
【００４６】
［集草列押さえ装置２］
集草列押さえ装置２は基部を有しており、図１，図２および図５に示すように、本実施形態においては、基部はフレーム３のコ字状フレーム３３１により構成されている。また、本実施形態においては、基部であるコ字状フレーム３３１は、集草部４の後方であってトラクターＴなどの移動手段の前方に配置されている。
【００４７】
基部であるコ字状フレーム３３１の互いに対向する２つ部材の内面には、図５に示すように、回転体２２を支持するための支持部２１が、それぞれ揺動可能に取り付けられている。支持部２１は、図６に示すように、棒状部材からなり、支持する回転体２２とコ字状フレーム３３１との干渉を防止するために、棒状部材をコ字状フレーム３３１の内側に向けて屈曲させる第一屈曲部２１１と、棒状部材と回転体２２の側面との干渉を防止するために、回転体２２の側面に平行になるように棒状部材を外側に向けて屈曲させる第二屈曲部２１２とを有している。棒状部材は、剛性の高い金属で構成することが好ましい。
【００４８】
２本の棒状部材の第一屈曲部２１１側の端部には、それぞれ第一ベアリング２３が設けられており、第一ベアリング２３は２枚のワッシャー２４に挟まれた状態でリベット２５により軸支されている。図５に示すように、リベット２５およびワッシャー２４の外側面は、それぞれ基部であるコ字状フレーム３３１の内面に、例えば溶接されるなどして、固着されている。
【００４９】
回転体２２は、図５〜図７に示すように、固定軸２２１と固定軸２２１に回転可能に軸支された円筒形状の円筒部２２２と円筒部２２２の表面に形成された複数の断面がＶ字形状の凸部２２３と、凸部２２３の間に形成された凹部２２４とを有している。
【００５０】
図６に示すように、支持部２１の第二屈曲部２１２側の端部には、回転体２２の固定軸２２１が、ワッシャー２６を介してボルト２７により固定されている。固定軸２２１は、剛性の高い金属で構成することが好ましい。
【００５１】
円筒部２２２は、板状部材を円筒状に形成加工されてなる。円筒部２２２は、剛性の高い金属で構成することが好ましい。
【００５２】
固定軸２２１は円筒部２２２内に収容されている。円筒部２２２内において、固定軸２２１に第二ベアリング２２５が軸支されており、第二ベアリング２２５の内側面には、第二ベアリング２２５の回転を円筒部２２２に伝えるための伝達部材２２６が設けられている。伝達部材２２６は、ドーナツ形状を有しており、穴部には固定軸２２１が挿通され、穴部近傍に第二ベアリング２２５部が固着されている。また、伝達部材２２６の周面は円筒部２２２の内周面に固着されており、これにより、円筒部２２２が固定軸２２１を軸として回転するようになっている。
【００５３】
凸部２２３は、円筒部２２２と略同じ長さの板状部材を長手方向に沿って断面がＶ字状になるように折り曲げて形成されている。Ｖ字形状の開放端部は、凸部２２３の長手方向が円筒部２２２の長手方向に沿うように、円筒部２２２の外周面に固着されている。凸部２２３は、複数設けられており、これにより一の凸部２２３とこれに隣接する凸部２２３との間に凹部２２４が形成されている。凹部２２４は、集草列Ｗを受容するようになっており、凸部２２３は凹部２２４により受容された集草列Ｗを下方へ送るようになっている。凸部２２３は、剛性の高い金属で構成することが好ましい。
【００５４】
本実施形態においては、凸部２２３は６個設けるようにしたが、これに限定されることはなく、適宜設けるようにするとよい。ただし、凸部２２３の数が少ないと、草を下方へ送る効果が十分に得られず、集草列Ｗの高さが大きい部分がトラクターＴなどの車体の下端部に持っていかれ、それがたまると詰まってしまう場合がある。また、凸部２２３の数が多いと、その分凹部２２４の体積が減少し、集草列Ｗを十分に受容することができず、やはり、集草列Ｗの高さが大きい部分がトラクターＴなどの車体の下端部に持っていかれ、それがたまると詰まってしまう場合がある。このため、凸部２２３の数は、凸部２２３の形状や大きさ、回転体２２の重さなどによるが、６〜８個とすることが好ましい。
【００５５】
また、本実施形態においては、凸部２２３は断面Ｖ字形状としたが、これに限定されることはなく、例えば、断面Ｕ字形状としてもよく、断面コ字形状としてもよく、また、断面Ｖ字形状の頂部を平坦にした形状でもよい。また、本実施形態においては、断面Ｖ字形状の凸部２２３を円筒部２２２の周面長手方向に沿って連続的に設けるようにしたが、断続的に設けるようにしてもよい。さらには、棒状の突起を円筒部２２２の周面長手方向および円周方向に所定の間隔で複数設けるようにしてもよい。
【００５６】
さらに、本実施形態においては、板状部材を折り曲げ加工して断面Ｖ字形状としたものを円筒部２２２に固着することにより凸部２２３を設けるようにしたが、これに限定されることはなく、円筒部の周面に長手方向に沿って凹みを設ける加工を施すことにより、凸部と凹部を形成するようにしてもよい。
【００５７】
また、集草列押さえ装置２は、回転体２２の地面からの初期の高さを調節する高さ調節機構２８を備えていることが好ましい。
【００５８】
高さ調節機構２８は、図7に示すように、基部であるコ字状フレーム３３１および／または支持部２１に設けられた被係止部２８１と、支持部２１を吊り上げる吊り上げ部２８２とを有する。吊り上げ部２８２は、複数の環状部材を一定長連結した鎖部２８２１ａ，２８２１ｂを有しており、被係止部２８１に複数の環状部材の内いずれかを選択的に係止させることにより、回転体２２の地面からの初期の高さを調節できるようになっている。
【００５９】
本実施の形態においては、被係止部２８１は、図５および図７に示すように、鉤状部材からなり、基部であるコ字状フレーム３３１の内面上方であって第一ベアリング２３の取り付け位置よりも進行方向後方側に設けられている。
【００６０】
また、本実施の形態においては、図７に示すように、吊り上げ部２８２は、複数の環状部材を一定長連結した第一鎖部２８２１ａおよび第二鎖部２８２１ｂと、第一鎖部２８２１ａと第二鎖部２８２１ｂとの間に連結されたコイルばね２８２２とからなる。そして、第一鎖部２８２１ａを構成する環状部材を被係止部２８１に選択的に係止させるようになっている。第二鎖部２８２１ｂのコイルばね２８２２側とは反対側の端部は、支持部２１の第二屈曲部２１２の上部側近傍に固定されている。
【００６１】
本実施の形態においては、被係止部２８１を基部であるコ字状フレーム３３１側のみに設けたが、支持部２１側にも設け、第二鎖部２８２１ｂを構成する環状部材を支持部２１側の被係止部に選択的に係止させてもよい。また、被係止部を支持部２１側のみに設け、第一鎖部２８２１ａのコイルばね２８２２側とは反対側の端部は、基部であるコ字状フレーム３３１に固定させてもよい。
【００６２】
また、本実施の形態においては、吊り上げ部２８２は、第一鎖部２８２１ａと第二鎖部２８２１ｂとの間にコイルばね２８２２を連結したが、コイルばね２８２２を設けることなく、全てを鎖部により構成してもよいし、コイルばね２８２２に替えて棒状部材を連結してもよい。ただし、移動中の衝撃を吸収して、回転体２２の無駄な揺動を防止するために、コイルばね２８２２を設けることが好ましい。
【００６３】
［集草列押さえ装置の変形例］
次に、集草列押さえ装置の変形例について説明する。上述では、支持部２１は、コ字状フレーム３３１との干渉を防止するために、第一屈曲部２１１と第二屈曲部２１２を有していたが、図８に示すように、例えばカラー２９などのスペーサーを介してコ字状フレーム３３１に取り付けて干渉を防止することができれば、第一屈曲部２１１と第二屈曲部２１２を有しない支持部２１´を用いてもよい。
【００６４】
さらに、支持部２１´は、図８及び図９に示すように、左右の揺動角度が異なることにより回転体２２の軸にねじれが生じるのを防止するためのねじれ防止バー２１３を有していてもよい。ねじれ防止バー２１３は、回転体２２の軸と平行に設けられており、ねじれ防止バー２１３の両端部は、両支持部２１´における回転体２２の近傍から進行方向後方側に向けて略垂直に延出する垂直部２１４のそれぞれの先端に固定されている。
【００６５】
さらに、支持部２１´は、図８及び図９に示すように、支持部２１´が回転してしまうのを防止するための回転規制部２１５を有していてもよい。回転規制部２１５は、垂直部２１４の先端部から上方に突出して設けられている。この回転規制部２１５は、支持部２１´が揺動を規制させたい位置に達したときにコ字状フレーム３３１の上方のコーナー部３３１Ｃに当接するようになっており、これにより、支持部２１´が回転するのを防止するようになっている。なお、上述の支持部２１に、垂直部２１４および回転規制部２１５を設けてもよいことはいうまでもない。
【００６６】
また、上述では、支持部２１は、コ字状フレーム３３１の互いに対向する２つ部材の内面に取り付けるようにしたが、図８に示すように、コ字状フレーム３３１は、板状突出部３３１１を有していてもよく、この板状突出部３３１１に支持部２１´あるいは支持部２１を揺動可能に取り付けてもよい。
【００６７】
また、上述では、支持部２１の端部に第一ベアリング２３を設けるようにしたが、第一ベアリング２３を設けることなく、支持部２１´あるいは支持部２１の端部にボルト３０（図８参照）を一定の遊びがある状態で挿通させる穴２１６（図９参照）を設けるとともに、板状突出部３３１１にもボルト３０を挿通させる穴（図示しない）を形成し、ボルト３０をこれらの穴に挿通させ、ボルト３０の頂部とは逆側の端部にナイロンナット（図示しない）を固着するようにしてもよい。
【００６８】
また、上述では、回転体２２の地面からの高さを調節する高さ調節機構２８を設けるようにしたが、設けなくてもよい。この場合、図８に示すように、回転体２２が反動などにより進行方向前側に揺動してしまわないように規制する揺動規制部３３１２を設けることが好ましい。揺動規制部３３１２は、直方体形状を有しており、コ字状フレーム３３１の互いに対向する２つ部材の内面の所定の位置に、内側に向けて突出して支持部２１´に干渉するように設けられている。
【００６９】
また、本発明による集草列押さえ装置は、回転体２２の自重により集草列を押さえつけて集草列の高さを低く整えるが、牧草の種類や乾燥の度合いによって、回転体２２に重さ調節部材（図示しない）を取り付けるようにしてもよい。重さ調節部材は、例えば、回転体２２の側面に取り付けられるドーナツ形状の金属板であってもよいし、回転体２２の凸部２２３と円筒部２２２との間隙に挿入する金属棒であってもよい。また、重さ調節部材は、着脱自在としてもよい。この場合、例えば、回転体２２の側面および金属板にネジ溝を形成し、ボルトで互いに固着するようにしたり、金属棒を頂部と先端部にネジ溝を有する長尺のボルト状に形成し、凸部２２３と円筒部２２２との間隙に挿入した後、金属棒の先端にナットを締め付けて、凸部２２３の両端部にボルトの頂部とナットを係止させるようにしたりするとよい。
【００７０】
次に、本実施の形態に係る集草機１の使用方法について説明する。集草機１は、図１０に示すように、トラクターＴなどの移動手段の前方に、連結手段を介して連結して使用する。また、集草機１は、集草する際には、油圧シリンダ５２を伸長させることによりアームフレーム３４を地面に対して水平な状態にさせて、集草部４をトラクターＴの前方側方に広げ、第三車輪６３を地面に接地させた状態で使用する。なお、集草せずに集草部４を移送する際は、油圧シリンダ５２を収縮させるによりアームフレーム３４の先端を引き上げて、集草部４を第二回転盤４２が第一回転盤４１の上方に来るように立てた状態で、トラクターＴを走行させる。
【００７１】
集草する際には、まず、刈り倒された牧草の成長具合や密度等に応じて、各車輪６１,６２,６３を保持する保持部材６１１,６２1,６３１を出し入れして、フレーム３の高さを調節することにより、集草部４の地面からの高さを調節する。さらに、集草列押さえ装置２の回転体２２の地面からの位置を調節する。具体的には、回転体２２の凹部２２４に受容された集草列Ｗを凸部２２３により下方へ送り込むことができ、かつ回転体２２により集草列Ｗを押さえつけて集草列Ｗの高さを十分に調整できる位置に回転体２２がくるように、支持部２１を揺動させ、その位置で支持部２１を吊り上げるように吊り上げ部２８２の被係止部２８１までの長さを決めて、対応する位置の環状部材を被係止部２８１に係止させる。回転体２２の位置は、円筒部２２２の直径の下端側から１／３以上１／２（回転軸に対応する位置）未満の位置に集草列Ｗの上面がくるようにすることが好ましい。
【００７２】
また、風向きに応じて、草当て部８３のアーム部８１，８２への取付角度を調節する。具体的には、取付角度調整用ボルト８５３と取付角度調整用ナットとを緩めた状態で、取付角度調整用ボルト８５３に長孔８５１１の内面を沿わせるようにして、草当て部８３を動かし、第一の草当て面８３１の角度を位置決めして、取付角度調整用ボルト８５３に取付角度調整用ナットを締め付け、取付角度調整用板状部材８５１と板状先端部８５２とを挟持して固定する。例えば、追い風の場合は、櫛歯４３１により掻き上げられた刈草が前方に飛散しないように、図４（Ｂ）に示すように、第一の草当て面８３１の先端を下げて、前方に飛ばされた刈草が第一の草当て面８３１の内側の面に当たって地面に返されるようにするとよい。逆に向かい風の場合は、櫛歯４３１により掻き上げられた刈草が後方へ飛散しないように、第一の草当て面８３１の先端を上げて、後方に飛ばされた刈草が第一の草当て面８３１の内側の面に当たって地面に返されるようにするとよい。
【００７３】
さらに、第一の草当て面８３１と第二の草当て面８３２との角度を調節する。具体的には、図４（Ａ）に示すように、草当て面角度調節用ボルト８４４を取り外した状態で、第二の草当て面８３２を動かし、第一の草当て面８３１と第二の草当て面８３２との角度を位置決めして、そのときに互いに重なり合う第一の草当て面角度調節用孔８４２１および第二の草当て面角度調節用孔８４３１に草当て面角度調節用ボルト８４４を挿通させ、草当て面角度調節用ナットを締め付けて、第一の板状部材８４２と第二の板状部材８４３とを固定する。集草機１は前進しながら集草するため、櫛歯４３１により掻き上げられた刈草は相対的に後方へ行くので、基本的には、第二の草当て面８３２が地面と垂直になるように、第一の草当て面８３１と第二の草当て面８３２との角度を調節することが好ましい。
【００７４】
その後、油圧モータ５３で第一回転盤４１を回転させることにより櫛部４３を回転させた状態で、トラクターＴを牧草が刈り倒された圃場内で前進させる。すると、櫛部４３が刈草を掻き上げる。このとき、外側の第二回転盤４２が第一回転盤４１より前方に配置されているため、集草部４が前進することにより集草部４の外側の牧草が徐々に内側に集められ、集草列Ｗが形成される。
【００７５】
このとき、櫛部４３により掻き上げられた刈草は、風を受けて飛ばされたとしても、草当て部８３に当たって地面に返されるため、飛散することがなく、良好に集草列Ｗが形成される。
【００７６】
また、図１１（Ａ）に示すように、形成された集草列Ｗが、集草部４に後続する集草列押さえ装置２の回転体２２に触れた状態で、トラクターＴが進行方向Ｓに進むと、回転体２２が集草列Ｗにより後方へ押されて回転する。そして、前方に位置する回転体２２の凹部２２４ａに草が受容されていく。このとき、集草列Ｗに特に嵩高い部分があり回転体２２が回転しきれない場合は、支持部２１がリベット２５を軸として後方（図１１において矢印Ｙの方向）に揺動する。これにより、回転体２２の地面から高さが大きくなるため、回転体２２が回転可能になる。凹部２２４ａに受容された草は、図１１（Ｂ）に示すように、凸部２２３ａにより下方へと送りこまれていく。下方へ送り込まれた草は、図１１（Ｃ）に示すように、回転体２２の自重で地面に押しつけられ、集草列Ｗは高さが調整されて低くなる。そして、次の凹部２２４ｂに草が受容されるということが繰り返される。
【００７７】
そして、図１０に示すように、後続のトラクターＴが、高さが調整された集草列Ｗをまたぐようにして走行する。このとき、集草列Ｗは高さが調整されているため、トラクターＴの車体前方下端に集草列Ｗが引っかかって詰まるのを抑制することができる。
【００７８】
なお、上述の実施の形態においては、集草列押さえ装置２の支持部２１が揺動可能に取り付けられている基部は、集草機１のコ字状フレーム３３１により構成するようにしたが、集草機１のフレーム３とは別体で構成してもよい。この場合、集草列押さえ装置２は、集草機１の後方であって移動手段の前方に位置するように、集草機１および／または移動手段に連結手段を用いて連結する。また、集草機１に追従して集草列押さえ装置２を走行させるように、基部に車輪を設けることが好ましい。
【００７９】
また、基部を別体で構成する場合、基部の形状はコ字状フレーム３３１と同様の形状としてもよいし、直方体のような形状としてもよい。直方体のような形状にする場合、両側面に支持部２１を取り付けるとよい。また、被係止部２８１を設ける場合も基部の両側面に設けるとよい。
【００８０】
また、本実施の形態においては、集草機１はトラクターＴの前方に取り付けるようにしたが、トラクターＴの後方に取り付けてもよい。
【符号の説明】
【００８１】
１：集草機
２：集草列押さえ装置
２１：支持部
２２：回転体
２２１：固定軸，２２２：円筒部，２２３：凸部，２２４：凹部
２８：高さ調節機構
２８１：被係止部，２８２：吊り上げ部
２８２１ａ，２８２１ｂ：鎖部，２８２２：コイルばね
３：フレーム
３３：第二車輪保持フレーム
３３１：コ字状フレーム（基部）
４：集草部
５：油圧装置
８：刈草飛散防止装置
８１，８２：アーム部
８３：草当て部
８３１：第一の草当て面
８３２：第二の草当て面
８４１：蝶番
８４２：第一の板状部材
８４３：第二の板状部材
８４４：草当て面角度調節用ボルト
８５１：取付角度調整用板状部材
８５２：板状先端部
８５３：取付角度調整用ボルト
Ｗ：集草列
Ｔ：トラクター
【図１】
2018000154.tif 000003
【図２】
2018000154.tif 000004
【図３】
2018000154.tif 000005
【図４】
2018000154.tif 000006
【図５】
2018000154.tif 000007
【図６】
2018000154.tif 000008
【図７】
2018000154.tif 000009
【図８】
2018000154.tif 000010
【図９】
2018000154.tif 000011
【図１０】
2018000154.tif 000012
【図１１】
2018000154.tif 000013